(57)【要約】  【課題】  糊付けによる比較的硬い箱状の容器とは異なり、また、表裏両面間に厚さの薄い収納部を形成した合成樹脂製袋とは異なり、収納空間が大きくとれる矩形状をなし、部品点数の少ない構成でもって、しかも柔軟性を有するがスタンディング状態を維持できる合成樹脂製簡易容器を提供するものである。  【解決手段】  上面、背面及び下面を一連に形成する合成樹脂製第１シート部材と、左面、前面及び右面を一連に形成する合成樹脂製第２シート部材との端部の接合によって、略矩形状の容器を形成し、第１係止部と第２係止部との着脱によって上面が第２シート部材に対して開閉するようにファスナー部材を上面の左右端部及び前端部と第２シート部材の上端部とに渡って取り付けて、収納するものの出し入れが容易に行える合成樹脂製簡易容器を形成する。【選択図】  図１
2005046314.tif 000002
【特許請求の範囲】
【請求項１】
上面、背面及び下面を一連に形成する合成樹脂製第１シート部材と、左面、前面及び右面を一連に形成する合成樹脂製第２シート部材と、スライダーの移動によって第１係止部と第２係止部とが着脱するファスナー部材とを備え、前記下面の左右端部及び前端部と前記第２シート部材の下端部とが取り付けられ、前記左面及び右面の後端部と前記背面の左右端部とが取り付けられ、第１係止部と第２係止部との着脱によって前記上面が前記第２シート部材に対して開閉するように前記ファスナー部材は前記上面の左右端部及び前端部と前記第２シート部材の上端部とに渡って取り付けられ、前記第１シート部材と前記ファスナー部材、前記第２シート部材と前記ファスナー部材、及び前記第１シート部材と前記第２シート部材のそれぞれの取り付け部分は帯状飾りによって包装され、全体として略矩形状の容器を形成した合成樹脂製簡易容器。
【請求項２】
上面、背面及び下面を一連に形成する透明な合成樹脂製第１シート部材と、左面、前面及び右面を一連に形成する透明な合成樹脂製第２シート部材と、スライダーの移動によって第１係止部と第２係止部とが着脱するファスナー部材とを備え、前記下面の左右端部及び前端部と前記第２シート部材の下端部とが取り付けられ、前記左面及び右面の後端部と前記背面の左右端部とが取り付けられ、第１係止部と第２係止部との着脱によって前記上面が前記第２シート部材に対して開閉するように前記ファスナー部材は前記上面の左右端部及び前端部と前記第２シート部材の上端部とに渡って取り付けられ、前記ファスナー部材と前記第２シート部材の上端部との取り付け部はこの取り付け部を覆う第１の帯状飾りと共に縫合によって結合され、前記ファスナー部材と前記第２シート部材の上端部との前記取り付け部を除く前記第１シート部材と前記第２シート部材との取り付け部、及び前記第１シート部材と前記ファスナー部材との取り付け部はこの取り付け部を覆う第２の帯状飾りと共に縫合によって結合され、全体として略矩形状のスタンディング容器を形成した合成樹脂製簡易容器。
【請求項３】
前記左面及び右面の上端部と前記上面の左右端部との取り付け部には可撓性取っ手部材の左右両端部が、前記帯状飾りと共に縫合によって取り付けられたことを特徴とする請求項１又は２に記載の合成樹脂製簡易容器。
【発明の詳細な説明】
【技術分野】
【０００１】
本発明は、ファスナー付きの合成樹脂製簡易容器に関する。
【背景技術】
【０００２】
菓子などの収納物を取り出すための開口部を形成した矩形状の包装容器がある（例えば、特許文献１参照）。この特許文献１のものは、比較的硬さのある紙なによって形成され、開口部は蓋板とその左右のフラップなどによって開閉できる構成である。これは、この包装容器シート材を折り目に沿って折り畳んで接合部を糊付けにて矩形状に形成し、開口部も糊付けによって閉じられるものであり、比較的硬い箱状の容器である。
【０００３】
また、合成樹脂性袋状容器の開口部をファスナーによって開閉できるものがある（例えば、特許文献２参照）。この合成樹脂性袋状容器は、表裏両面間に厚さの薄い収納部を形成したものである。
【特許文献１】特開２００２‐３２１７３３号公報（第３頁〜第４頁、図１〜図５）
【特許文献２】特開２００２‐２５５１９７号公報
【発明の開示】
【発明が解決しようとする課題】
【０００４】
本発明は、特許文献１のように糊付けによる比較的硬い箱状の容器とは異なり、また、特許文献２のように表裏両面間に厚さの薄い収納部を形成したものとは異なり、収納空間が大きくとれる矩形状をなし、部品点数の少ない構成でもって、しかも柔軟性を有するがスタンディング状態を維持できる合成樹脂製簡易容器を提供するものである。
【課題を解決するための手段】
【０００５】
本発明は、上面、背面及び下面を一連に形成する合成樹脂製第１シート部材と、左面、前面及び右面を一連に形成する合成樹脂製第２シート部材との端部の接合によって、略矩形状の容器を形成し、第１係止部と第２係止部との着脱によって上面が第２シート部材に対して開閉するようにファスナー部材を前記上面の左右端部及び前端部と第２シート部材の上端部とに渡って取り付けて、収納するものの出し入れが容易に行える合成樹脂製簡易容器を形成したことを特徴とする。
【発明の効果】
【０００６】
本発明の合成樹脂製簡易容器は、合成樹脂製第１シート部材と合成樹脂製第２シート部材との組み合わせによって略矩形状の容器が形成され、ファスナー部材によって容器の取り出し開口部を構成したことによって、部品点数の少ない合成樹脂製簡易容器を実現できる。また、第１シート部材と第２シート部材との端部を帯状飾りによって包み覆った状態で、この帯状飾りと共に縫合することにより略矩形状の形態を維持したスタンディング容器を形成できる。
【発明を実施するための最良の形態】
【０００７】
本発明は、合成樹脂製第１シート部材と、合成樹脂製第２シート部材との組み合わせによって略矩形状の容器を形成し、その一部分にこの容器の開口部を形成するためのファスナー部材を取り付けた構成によって、部品点数の少ない合成樹脂製簡易容器を実現した。
【実施例１】
【０００８】
本発明の合成樹脂製簡易容器について図に基づき説明する。図１は本発明に係る合成樹脂製簡易容器の正面斜視図、図２は本発明に係る合成樹脂製簡易容器の縦断側面図、図３は本発明に係る合成樹脂製簡易容器の第１シート部材と第２シート部材の斜視図、図４は図１のＡ−Ａ断面図である。
【０００９】
ここで、１は本発明の合成樹脂製簡易容器の一つであり、上面２Ａ、背面２Ｂ及び下面２Ｃを連続して一連に形成する透明な合成樹脂製第１シート部材２と、左面３Ａ、前面３Ｂ及び右面３Ｃを連続して一連に形成する透明な合成樹脂製第２シート部材３と、摘み４Ｆによってスライド操作されるスライダー４Ａの移動によって第１係止部４Ｂと第２係止部４Ｃとが着脱するファスナー部材４とを備えている。
【００１０】
第１シート部材２の下面２Ｃの左右端部及び前端部と、第２シート部材３の下端部、即ち第２シート部材３の左面３Ａ、前面３Ｂ及び右面３Ｃの下端部とが、糸５による縫合によって取り付けられる。また、第２シート部材３の左面３Ａ及び右面３Ｃの後端部と第１シート部材２の背面２Ｂの左右端部とが、糸５による縫合によって取り付けられる。第１係止部４Ｂと第２係止部４Ｃとの着脱によって第１シート部材２の上面２Ａが第２シート部材３に対して開閉するように、ファスナー部材４は上面２Ａの左右端部及び前端部と第２シート部材３の上端部、即ち第２シート部材３の左面３Ａ、前面３Ｂ及び右面３Ｃの上端部とに渡って取り付けられている。ファスナー部材４の取り付けは、第１係止部４Ｂが設けられた布製の第１基材４Ｄの上端部が、上面２Ａの左右端部及び前端部に糸５による縫合によって取り付けられ、また第２係止部４Ｃが設けられた布製の第２基材４Ｅの下端部が、第２シート部材３の左面３Ａ、前面３Ｂ及び右面３Ｃの上端部に糸５による縫合によって取り付けられている。
【００１１】
ファスナー部材４の第２基材４Ｅの下端部と第２シート部材３の上端部との取り付け部は、第１の帯状飾り６で覆われた状態で、この第１の帯状飾り６と共に糸５による縫合によって、第２基材４Ｅの下端部と第２シート部材３の上端部と結合される。この場合、第１の帯状飾り６は第２シート部材３の上端部を包み覆った状態でその裏側にファスナー部材４の第２基材４Ｅの下端部が重ね合わされ、この状態で、糸５による縫合によって第２基材４Ｅの下端部と第２シート部材３の上端部とが結合される。
【００１２】
また、ファスナー部材４の第２基材４Ｅの下端部と第２シート部材の上端部との前記取り付け部を除き、即ち第１の帯状飾り６で覆われた部分を除き、第１シート部材２と第２シート部材３との取り付け部、及び第１シート部材２とファスナー部材４との取り付け部は、この取り付け部を覆う第２の帯状飾り７と共に糸５による縫合によって結合される。即ち、第２シート部材３の左面３Ａ及び右面３Ｃの後端部と第１シート部材２の背面２Ｂの左右端部との接合部と、第１シート部材２の下面２Ｃの左右端部及び前端部と第２シート部材３の左面３Ａ、前面３Ｂ及び右面３Ｃの下端部との接合部と、更にファスナー部材４の第１基材４Ｄの上端部と上面２Ａの左右端部及び前端部との接合部が、第２の帯状飾り７で包み覆われた状態で、この第２の帯状飾り７と共に糸５による縫合によって結合される。
【００１３】
この場合、ファスナー部材４の長さ方向の左右両端部は、第１シート部材２の背面２Ｂの左右端部と共に第２の帯状飾り７によって包み覆われた状態で、糸５による縫合によって第１シート部材２の背面２Ｂに結合される。また、スライダー４Ａの移動をストップさせるためにファスナー部材４の長さ方向の左右両端部に設けられる止め部と、第１の帯状飾り６の左右両端部は、合成樹脂製簡易容器１の正面視及び側面視でのデザインを考慮して、第２の帯状飾り７によって包み覆われた状態である。
【００１４】
合成樹脂製簡易容器１を縫合形成する一つの手順を説明する。第１シート部材２と第２シート部材３は、それぞれ一枚の柔軟性を有する透明な合成樹脂製シート部材であり、上記のようにファスナー部材４の下端部と第２シート部材３の上端部を第１の帯状飾り６と共に糸５により縫合し、上面２Ａ、背面２Ｂ及び下面２Ｃを形成するように第１シート部材２を屈曲させつつ、そして左面３Ａ、前面３Ｂ及び右面３Ｃを形成するように第２シート部材３を屈曲させつつ、第１シート部材２と第２シート部材３の周縁端部を第２の帯状飾り７と共に順次糸５により縫合し、且つ第１シート部材２の上面２Ａ端部とファスナー部材４の上端部とを帯状飾り７と共に順次糸５により縫合する。このようにして、全体として略矩形状の容器形状をなす合成樹脂製簡易容器１が構成される。
【００１５】
第１の帯状飾り６と第２の帯状飾り７は、自然布又は耐水性の人工布などで構成された帯状部材であり、第１の帯状飾り６と第２の帯状飾り７は、それぞれ一本の帯状をなし、上記のように第２の帯状飾り７は、第１の帯状飾り６で覆われた部分を除く第１シート部材２と第２シート部材３の端部を連続して覆うが、第２の帯状飾り７の両端部は、外観デザインを考慮して、合成樹脂製簡易容器１の後側に相当する部分で接合される。図示の形態では、この第２の帯状飾り７の始端と終端に相当する両端接合部８は、第２シート部材３の左面３Ａ又は右面３Ｃの後端部と、第１シート部材２の背面２Ｂの左端部又は右端部との結合部に設けている。
【実施例２】
【００１６】
第１シート部材２と第２シート部材３とを同じ外形寸法の形状とすれば、合成樹脂製簡易容器１を作る場合に第１シート部材２と第２シート部材３とを取り違える問題なく、更に両シート部材２、３の材料取りによる無駄を省くこともできる。
【００１７】
上記のように、本発明の合成樹脂製簡易容器１は、透明な合成樹脂製の第１シート部材２と第２シート部材３にて、上下の面、前後の面、及び左右の面が形成されているため、その内部空間に収納されたものは外部から透視できる。このため、この合成樹脂製簡易容器１は、菓子、衣類、その他のものを入れて店頭で販売するための簡易容器として使用できる。また、内部の収納物の出し入れは、ファスナー部材４のスライダー４Ａを左右に移動させることによって、第１係止部４Ｂと第２係止部４Ｃとが着脱するため、簡単に行える。
【００１８】
また、透明な合成樹脂製の第１シート部材２と第２シート部材３は柔軟性のある状態であり、そのシートそのものの状態では立った状態、即ちスタンディング状態を維持することは困難であるが、第１シート部材２と第２シート部材３の端部が第２の帯状飾り７によって覆われた状態で糸５によって縫合されているため、第１シート部材２と第２シート部材３の端部が第２の帯状飾り７によって縁取りされてその部分の強度が増し、補強された縁取り部を形成する。このため、合成樹脂製簡易容器１は、全体として略矩形状の容器形状を維持し、第１シート部材２の下面２Ｃの左右端部及び前端部と第２シート部材３の左面３Ａ、前面３Ｂ及び右面３Ｃの下端部との結合部を下にしたスタンディング状態を維持することができる。したがって、この合成樹脂製簡易容器１は、菓子、衣類、その他のものを入れて店頭の棚などに立てた状態で配置できるスタンディング容器を構成する。
【００１９】
合成樹脂製簡易容器１は、その上部に持ち運びが便利なように、自然布又は耐水性の人工布などで構成された可撓性の手提げ部材９が設けられている。手提げ部材９の左右両端部は、第２シート部材３の左面３Ａ及び右面３Ｃの上端部と第１シート部材２上面２Ａの左右端部との取り付け部に、第２の帯状飾り７と共に糸５による縫合によって取り付けられている。
【００２０】
本発明は、上記実施形態に限定されず、本発明の技術的範囲を逸脱しない限り種々の変更が考えられ、それに係る種種の実施形態を包含するものである。
【産業上の利用可能性】
【００２１】
本発明の合成樹脂製簡易容器は、菓子、衣類、その他のものを入れて店頭で販売する商品として利用できるが、この他に、景品を入れる容器としても利用でき、更にこの合成樹脂製簡易容器を入手した人は、その中のものを取り出して水着入れに使用したり、またハイキングなどに持ってゆく飲料や食料品などを入れる簡易容器としても利用可能である。
【図面の簡単な説明】
【００２２】
【図１】本発明に係る合成樹脂製簡易容器の正面斜視図である。（実施例１）
【図２】本発明に合成樹脂製簡易容器の縦断側である。（実施例１）
【図３】本発明に係る合成樹脂製簡易容器の第１シート部材と第２シート部材の斜視図である。（実施例１）
【図４】図１のＡ−Ａ断面図である。
【符号の説明】
【００２３】
１・・・・合成樹脂製簡易容器
２・・・・第１シート部材
２Ａ・・・上面
２Ｂ・・・背面
２Ｃ・・・下面
３・・・・第２シート部材
３Ａ・・・左面
３Ｂ・・・前面
３Ｃ・・・右面
４・・・・ファスナー部材
４Ａ・・・スライダー
４Ｂ・・・第１係止部
４Ｃ・・・第２係止部
５・・・糸
６・・・第１の帯状飾り
７・・・第２の帯状飾り
９・・・手提げ部材
【図１】
2005046314.tif 000003
【図２】
2005046314.tif 000004
【図３】
2005046314.tif 000005
【図４】
2005046314.tif 000006